(57)【要約】【課題】  バスト調整部、ウエスト調製部、ガードル部、下腹部調整部、そして肩紐を有すボディースーツであって、バスト部のカップラインにはワイヤーを備えると共に、着たり脱いだりすることが手軽に行うことが出来るアンダー調整可能なボディースーツの提供。【解決手段】  バスト調整部１のカップラインにはワイヤー７を取付け、背面側には左右一対のバック生地１７，１７を設けると共に開閉可能なように先端にはフック１９及びフックアイ１８を取付け、上記肩紐５はバスト調整部１のカップ上縁とバックパネル１７を連結して設けている。【選択図】    図１
2006028699.tif 000002
【特許請求の範囲】
【請求項１】
バスト調整部、ウエスト調製部、ガードル部、下腹部調整部、そして肩紐を有すボディースーツにおいて、バスト調整部のカップラインにはワイヤーを取付け、背面側には左右一対のバック生地を設けると共に開閉可能なように先端にはフック及びフックアイを取付け、上記肩紐はバスト調整部のカップ上縁とバックパネルを連結して設けたことを特徴とするアンダー調整可能なボディースーツ。
【請求項２】
上記バスト調整部の下側にはフロント生地、該フロント生地の両側にはフロント側生地を縫い合わせ、背面側には背面生地を設け、該背面生地は上記フロント側生地と縫い合わせ、ガードル部の両脚穴間にはフロント生地の下側に下腹生地を縫い合わせた請求項１記載のアンダー調整可能なボディースーツ
。
【発明の詳細な説明】
【技術分野】
【０００１】
本発明は、女性用下着であってプロポーションを整える為のアンダー調整可能なボディースーツに関するものである。
【背景技術】
【０００２】
ボディースーツは、バスト部と、ウエスト部、ガードル部を一体化して構成した下着であり、その形態は色々ある。勿論、ボディースーツに限らず、ブラジャー、ウエストニッパー、ガードルを夫々着用することで体形を整えることが可能であるが、これら各部が一体化したボディースーツは便利であり、若い女性の大半が使用している。図5は従来の一般的なボディースーツの着用状態を示している。
【０００３】
特開２００２−１２９４０６号に係る「ボディースーツ」は、肩紐部と、バスト調整部と、ウエスト調整部、下腹部調整部、ガードル部から成るボディースーツであって、バスト調整部にはカップ形ブラジャー部が存在せず、着用者の胸肉を引き寄せ、持ち上げて前面に突出させるバスト支持帯が設けられており、ウエスト調整部には、ウエストを覆うウエスト締付け帯が設けられており、下腹部調整部には、下腹部を覆う下腹部締付け帯が設けられている。
【０００４】
このボディースーツは各使用者の体形に合わせてアンダーバストから下腹部にかけてきめ細かい部位別の調整を可能としている。従って、体形に合わせた各種サイズのボディースーツを準備しなくても対応することが出来る。ここで、上記バスト支持帯、ウエスト締付け帯、下腹部締付け帯は、夫々１対の布片から成って、合わせ目には係合留め具を備えて前開き可能な形態としている。
【０００５】
しかし、ボディースーツに１対の布片から成るバスト支持帯、ウエスト締付け帯、下腹部締付け帯を設けることで体形に合った調整は可能であるが、着用時の窮屈感が増大し、一方ではバスト支持帯、ウエスト締付け帯、下腹部締付け帯がボディースーツ本体と重なり合うことで体形が太く成ってしまい、ボディースーツを着用した理想の体形を具現することは出来ない。
【０００６】
特開２００３−８２５０３号に係る「ボディースーツ」は、体型補整だけでなく、内面的な健康増進をも図ることが出来るものであり、バスト部と、肩紐部、ウエスト部、ガードル部から成り、少なくともウエスト部及びガードル部の人体接触側の一部に断面波形の生地が設けられている。断面波形の生地によって形成される凹凸の進行方向がウエスト部で上下方向であり、ガードル部で左右方向と成っている。
【０００７】
ところで、ボディースーツは体形を整える為に使用するもので、身体にフィットする関係上、着用したり、逆に脱ぐ時には不便である。その為に、バスト部にはバストを整える為のワイヤーを備えたのでは、ボディースーツの着脱が容易でない。
【特許文献１】特開２００２−１２９４０６号に係る「ボディースーツ」
【特許文献２】特開２００３−８２５０３号に係る「ボディースーツ」
【発明の開示】
【発明が解決しようとする課題】
【０００８】
このように、従来のボディースーツには上記のごとき問題がある。本発明が解決しようとする課題はこれら問題点であり、バスト部のカップラインにはワイヤーを備えると共に、着たり脱いだりすることが手軽に行うことが出来ると共にアンダーバストを調整することが出来るボディースーツを提供する。
【課題を解決するための手段】
【０００９】
本発明に係るボディースーツは、肩紐部、バスト調整部、ウエスト調整部、下腹部調整部、ガードル部を有し、これら各部は連続して形成されている。そして、バスト調整部のカップラインにはワイヤーが取付けられている。このようにバスト調整部のカップラインにワイヤーを取付けても、ボディースーツの着脱に支障を来たさないように、背中にはバック生地を設けて開閉可能な形態としている。
【００１０】
バック生地は左右１対にて構成され、先端は互いに連結されてカップ調整部をしっかり支えることが出来る。又ガードル部には幅広のテープが設けられ、そしてフロントはカップラインから１枚仕立てで凹凸がなく、腹部をすっきりとサポートすることが出来る。ところで、本発明では上記バック生地、ガードル生地、及びフロント生地は両脇部にて縫い合わされた縫製構造としている。
【発明の効果】
【００１１】
本発明のボディースーツはバスト調整部のカップラインにワイヤーが設けられている為に、バストの形崩れを防止すると共に形を整えることが出来る。しかも、バストの背後には開閉可能なバック生地を設けている為に、着脱を手軽に行うことが出来ると共に、着用時の窮屈感をバック生地の連結位置にて調整が可能である。特に、体形を整える為に厚めの生地を用いたボディースーツであっても、開閉できるバック生地を備えることで着脱は容易であると共に、アンダーバストの調整が可能と成る。
【００１２】
そして、ガードル部には幅広のテープが用いられている為に、着用時のズレはなくてヒップ部分をしっかり固定し、ウエストラインをすっきり整えることが出来る。また、正面のフロント生地は１枚仕立てとすることで、内向きに整えたバストをキープし、正面には縫目の凹凸が無い為に腹部をすっきりとサポート出来る。
【００１３】
さらに、バックパネル生地、ガードル生地、及びフロント生地は両脇部にて繋がれている為に、正面側及び背面側のウエストからヒップにかけてのラインがすっきりとして、均衡の取れたボディースーツとして機能することが出来、１枚のボディースーツにて上半身をトータル的に整えることが可能である。
【実施例】
【００１４】
図１は本発明に係るアンダー調整可能なボディースーツを示す実施例で、(ａ)は正面図、(ｂ)は背面図を表している。該ボディースーツは同図に示すように、１枚でバストからウエスト、及びヒップにかけての上半身をトータル的に整えることが出来るスーツであり、バスト調整部１、ウエスト調製部２、ガードル部３、下腹部調整部４、及び肩紐５から構成している。
【００１５】
バスト調整部１には２個のカップ６，６が対を成して設けられ、カップラインにはワイヤー７，７が取付けられて、カップ６，６の形崩れを防止し、ひいてはバストの形を整えることが出来る。そして、バスト調整部１から縦方向に延びるフロント生地８、その両側にはフロント側生地９，９が縫い合わされ、背面には背面生地１０が縦方向に延び、その両側は上記フロント側生地９，９に縫い合わされている。
【００１６】
ガードル部3には脚が嵌る脚穴１２，１２が形成され、フロント生地８の下側には下腹部を支持する為に脚穴１２，１２に沿った細長い下腹生地１３，１３が設けられている。又、ガードル部３のヒップ部分をカバーする概略円形の当て布１４が縫い合わされている。脚穴１２，１２の間に位置する股下生地１５は背面生地１０に縫い合わされて、ボタン１６，１６を介して下腹生地１３，１３の下端と連結している。従って、着脱する際にはボタン１６，１６を外して行われる。
【００１７】
ところで、バスト調整部1の背面側にはバック生地１７，１７が背面側生地１１，１１の上側に縫い付けられている。両バック生地１７，１７は先端にフックとフックアイが夫々取付けられていて、該フックアイにフックが係止することで両バック生地１７，１７は互いに連結することが出来るが、外すならばバスト調整部１は開いて大きくなる。
【００１８】
図2はバック生地１７，１７の先端フックアイ１８とフック１９を外して開いた状態を示している。ボディースーツを着用する場合、及び脱ぐ場合には、バック生地１７，１７を開いた状態で行うことが出来、又、フックアイ１８，１８・・は複数列を構成して取付けられている為に、両バック生地１７，１７の締め具合を調整することが出来る。すなわち、アンダーバストの調整が簡単に出来る。
【００１９】
図3は両バック生地１７，１７を開いてボディースーツを着用した場合であり、図4は該ボディースーツを着用した正面図、及び背面図を示している。ボディースーツとしての基本的な形態は共通しているが、特に開閉可能なバック生地１７，１７を備えることで着脱が容易に成り、カップラインワイヤーを取付けることも可能と成る。そして、アンダーバストから下腹部にかけて縦方向に延びるフロント生地を設け、又ガードル部背面側には幅広の縦方向に延びる背面生地を備えていることで、身体のラインをすっきりとして整えることが出来る。
【図面の簡単な説明】
【００２０】
【図１】本発明に係るボディースーツを示す実施例。
【図２】バック生地を開いた状態のボディースーツ。
【図３】バック生地を開いて着用した場合。
【図４】ボディースーツの着用状態。
【図５】従来のボディースーツの着用状態。
【符号の説明】
【００２１】
１  バスト調整部
２  ウエスト調整部
３  ガードル部
４  下腹部調整部
５  肩紐
６  カップ
７  ワイヤー
８  フロント生地
９  フロント側生地
10  背面生地
12  脚穴
13  下腹生地
14  当て布
15  股下生地
16  ボタン
17  バック生地
18  フックアイ
19  フック
【図１】
2006028699.tif 000003
【図２】
2006028699.tif 000004
【図３】
2006028699.tif 000005
【図４】
2006028699.tif 000006
【図５】
2006028699.tif 000007